(57)【要約】【課題】  従来のダウンライトを何ら変更することなく、センサ機能を備えたダウンライトを実現する。【課題手段】  天井１に形成された取付孔２に嵌合し内径がダウンライト５と嵌合可能な大きさの円環状の枠体１１と、枠体１１の一部に設けられて周囲の特定の環境を検出してスイッチをオンオフさせるセンサユニット１２と、枠体１１の上面側に配置された端子台１５と、枠体１１の上面側から上方に突設されて枠体１１を天井１に固定するための複数の取付機構１３，１４とを備える。枠体１１の内側にダウンライト５が収納され、センサユニット１２を介してダウンライト５に電源電圧を供給する。【選択図】  図１
2005346957.tif 000002
【特許請求の範囲】
【請求項１】
天井に形成された取付孔に嵌合し内径がダウンライトと嵌合可能な大きさの円環状の枠体と、
この枠体の一部に設けられ天井に据え付けられたときに下面側に検知部が配置され前記検知部の周囲の特定の環境を検出してスイッチをオンオフ又は調光制御させるセンサユニットと、
前記枠体の上面側に配置された端子台と、
前記枠体の上面側から上方に突設されて前記枠体を前記天井に固定するための複数の取付機構とを備え、
前記枠体の内側にダウンライトが収納され、前記センサユニットを介して前記ダウンライトに電源電圧を供給する
ことを特徴とするダウンライト用センサユニット枠。
【請求項２】
前記複数の取付機構は、前記収容されるダウンライトの取付機構と重ならない周方向位置に配置されていることを特徴とする請求項１記載のダウンライト用センサユニット枠。
【請求項３】
前記取付機構は、
前記枠体の上面側から上方に突設されて上下に延びるスリットが形成された支持壁と、
この支持壁の前記スリットに沿って上下に移動し、下端部で外側に開いて天井の裏面に保持される取付金具とを有し、
前記取付金具は、前記支持壁の外側に配置された外板と、前記支持壁の内側に配置された内板と、
前記外板と内板の上端同士を前記スリットを介して連結する上端連結部と、
前記外方と内板の下端同士を前記スリットを介して前記上端よりも広い間隔で連結する下端連結部と
を備えたものであることを特徴とする請求項１又は２記載のダウンライト用センサユニット枠。
【請求項４】
前記端子台は、
電源線を接続する電源用端子と、
この電源用端子に供給された電源電圧をそのまま出力する送り用端子と、
前記電源用端子に供給された電源電圧を前記センサユニットを介して前記ダウンライトに出力する負荷用端子と
を備えたことを特徴とする請求項１〜３のいずれか１項記載のダウンライト用センサユニット枠。
【発明の詳細な説明】
【技術分野】
【０００１】
本発明は、天井に埋め込まれるダウンライトに関し、特にダウンライトにセンサ機能を容易に追加することができるダウンライト用センサユニット枠に関する。
【背景技術】
【０００２】
従来、ダウンライトにセンサ機能を付加したものは、知られている（非特許文献１）。このセンサ機能付きダウンライトは、ダウンライトの枠体の部分に照度・人感センサを配置し、センサ出力に連動させてダウンライトをオンオフ又は調光制御するようにしている。
【非特許文献１】東芝ライテック株式会社、東芝ホームライティング株式会社「住宅照明総合カタログ  ２００４−２００５」  ４３６頁
【発明の開示】
【発明が解決しようとする課題】
【０００３】
しかしながら、上述した従来のセンサ機能付ダウンライトでは、次のような問題がある。すなわち、ダウンライトの種類様々であり、例えば反射板の表面処理１つを取ってみても、バッフル、鏡面、白、黒等があり、また、天井裏に断熱材を使用するか否かによっても種類は変わってくる。このように、多種類のダウンライトについて、それぞれセンサ機能付きタイプと通常タイプとを製品として揃えるのは、コスト的にも製品管理上でも困難であるという問題がある。
【０００４】
本発明は、このような点に鑑みなされたもので、従来のダウンライトを何ら変更することなく、センサ機能を備えたダウンライトを実現可能なダウンライト用センサユニット枠を提供することを目的とする。
【課題を解決するための手段】
【０００５】
本発明に係るダウンライト用センサユニット枠は、天井に形成された取付孔に嵌合し内径がダウンライトと嵌合可能な大きさの円環状の枠体と、この枠体の一部に設けられ天井に据え付けられたときに下面側に検知部が配置され前記検知部の周囲の特定の環境を検出してスイッチをオンオフ又は調光制御させるセンサユニットと、前記枠体の上面側に配置された端子台と、前記枠体の上面側から上方に突設されて前記枠体を前記天井に固定するための複数の取付機構とを備え、前記枠体の内側にダウンライトが収納され、前記センサユニットを介して前記ダウンライトに電源電圧を供給することを特徴とする。
【０００６】
本発明の一つの実施形態においては、前記複数の取付機構は、前記収容されるダウンライトの取付機構と重ならない周方向位置に配置されている。
【０００７】
前記取付機構は、例えば、前記枠体の上面側から上方に突設されて上下に延びるスリットが形成された支持壁と、この支持壁の前記スリットに沿って上下に移動し、下端部で外側に開いて天井の裏面に保持される取付金具とを有し、前記取付金具は、前記支持壁の外側に配置された外板と、前記支持壁の内側に配置された内板と、前記外板と内板の上端同士を前記スリットを介して連結する上端連結部と、前記外方と内板の下端同士を前記スリットを介して前記上端よりも広い間隔で連結する下端連結部とを備えたものである。
【０００８】
また、前記端子台は、例えば、電源線を接続する電源用端子と、この電源用端子に供給された電源電圧をそのまま出力する送り用端子と、前記電源用端子に供給された電源電圧を前記センサユニットを介して前記ダウンライトに出力する負荷用端子とを備えている。
【発明の効果】
【０００９】
本発明によれば、枠体の内側にダウンライトが収納され、センサユニットを介してダウンライトに電源電圧を供給することができるので、従来のダウンライトを何ら変更することなく、そのまま使用してセンサ機能付きダウンライトとして動作させることができる。
【発明を実施するための最良の形態】
【００１０】
以下、添付の図面を参照して、この発明の実施形態を説明する。
【００１１】
図１は本発明の一実施形態に係るセンサ機能付きダウンライトシステムの分解斜視図である。
【００１２】
天井１には、ダウンライト取り付け用の取付孔２が開口されており、この取付孔２に電源線３の末端が臨んでいる。取付孔２には、本実施形態に係るセンサユニット枠４が装着されるようになっている。また、センサユニット枠４の内側には、本体枠６、反射板７及びランプ８からなるダウンライト５が収納できるようになっている。
【００１３】
センサユニット枠４は、具体的には、天井１の取付孔２と嵌合する円環状の枠体１１と、この枠体１１の一部の下面側に設けられたセンサユニット１２と、枠体の上記一部の上面側に設けられた端子台１５と、枠体１１から上面に突設された取付機構１３，１４とを備えて構成されている。センサユニット１２は、例えば照度センサと人感センサを内蔵し、枠体１１の下面側に下側に向けて検知エリアを形成する検知部１６，１７を有する。
【００１４】
取付機構１３，１４は、枠体１１の上面から上方に突設されて上下方向にスリット２３が形成された支持壁２１，２２と、これら支持壁２１，２２のスリット２３に沿って上下に移動し、下端部で外側に開いて天井１の裏面に保持される取付金具２４とを備えて構成されている。取付金具２４は、図２の側面図及び図３の斜視図に示すように、支持壁２１，２２の外側に配置された外板と３１と、支持壁２１，２２の内側に配置された内板３２と、外板３１と内板３２の上端同士をスリット２３を介して連結する上端連結部３３と、外方３１と内板３２の下端同士をスリット２３を介して上端よりも広い間隔で連結する下端連結部３４とを備え、これらが金属板をプレス加工することにより一体に形成されたものである。
【００１５】
また、ダウンライト５の本体枠６は、円環状の枠体４１と、この枠体４１の上面側から上部に突設された取付機構４２，４３と、これら取付機構４２，４３の上端に固定された円板状の支持板４４と、この支持板４４に固定されたソケット４５及び端子台４６と、バネ４７とを備えて構成されている。枠体４１は、センサユニット枠４の枠体１１の内周と適合する外径を有する。取付機構４２，４３は、センサユニット枠４の取付機構１３，１４と同様の構造を有する。
【００１６】
反射板７は、お椀型に形成され、内面をバッフル、鏡面、白、黒の反射板となるように処理が施され、底部に取付孔４８を有する。この取付孔４８に本体枠６の支持板４４に設けたバネ４７が嵌合することにより、反射板７が支持板４４に支持される。
【００１７】
なお、センサユニット枠４とダウンライト５の本体枠６には、同様の取付機構１３，１４，４２，４３が使用されるが、これらの相互の位置関係は、図４に示すような関係となる。なお、図４において、（ａ）は、ダウンライト５が２つの取付機構を有している例、（ｂ）は３つの取付機構を有している場合をそれぞれ示している。これらの図から明らかなように、センサユニット枠４側の取付機構１３，１４は、互いの配置角度が１２０°〜１８０°の間となるように設定されており、これにより、ダウンライト５側の取付機構４２，４３が２つの場合でも、取付機構４２，４３，４３′のように、互いに１２０°をなすように３つ設けられている場合でも、互いの取付機構１３，１４，４２，４３，４３′が干渉することなく組立可能である。
【００１８】
図５は、センサユニット枠４と、ダウンライト５の端子台１５，４６とそれらの配線関係を示す図である。
【００１９】
電源線３は、壁スイッチ５１を介してセンサユニット枠４の電源用端子６１に導入され、負荷用端子６３を介してダウンライト５の電源用端子６４に導入される。ダウンライト５の送り用端子６５は、次に接続されるダウンライト５の電源用端子に接続される。センサユニット枠４の負荷用端子６３からの出力に繋がる複数のダウンライト５は、全てセンサユニット枠４での制御に従ってオンオフ又は調光制御される。
【００２０】
一方、センサユニット枠４での制御に従わずに、他のダウンライト５に電力を供給したい場合には、図５に示すように、送り用端子６２を介して次のセンサユニット枠４に電力を供給する。次のセンサユニット枠４は、前段のセンサユニット枠４の制御には従わない。このため、エリア毎の個別制御の際の配線が極めて容易になる。
【００２１】
なお、図１に示すように、このダウンライトシステムを組み立てる際には、まず、センサユニット枠４の端子台１５の負荷用端子６５に負荷用線５２を接続し、枠体１１の内側に垂らした状態で、電源線３を端子台１５の電源用端子６１と接続し、センサユニット枠４を天井１の取付孔２に装着し、取付機構１３，１４で天井１に固定する。次に、本体枠６の端子台４６の電源用端子６４に負荷用線５２の端末を接続した後、本体枠６をセンサユニット枠４に装着し、取付機構４２，４３で枠体１１に固定する。最後に、反射板７とランプ８とを取り付けることによりセンサ機能付きダウンライトが構成される。
【図面の簡単な説明】
【００２２】
【図１】本発明の一実施形態に係るセンサ機能付きダウンライトシステムの構成を示す部分解斜視図である。
【図２】同システムにおけるセンサユニット枠の側面図である。
【図３】同センサユニット枠における取付機構の取付金具を示す斜視図である。
【図４】同システムの平面図であって、取付機構の位置関係を示す図である。
【図５】同システムの配線図である。
【符号の説明】
【００２３】
１…天井、２…取付孔、３…電源線、４…センサユニット枠、５…ダウンライト、６…本体枠、７…反射板、８…ランプ、１１，４１…枠体、１２…センサユニット、１３，１４，４２，４３，４３′…取付機構、１５，４６…端子台。
【図１】
2005346957.tif 000003
【図２】
2005346957.tif 000004
【図３】
2005346957.tif 000005
【図４】
2005346957.tif 000006
【図５】
2005346957.tif 000007